(57)【特許請求の範囲】
【請求項１】
顕微鏡システムであって、
標本が載置されるステージと、
前記標本を照明するための照明光を発光する発光ＬＥＤと、
前記発光ＬＥＤが発光した照明光を集光して前記標本に照射する光学系と、
前記発光ＬＥＤの光量を調整する調光信号の入力を受け付ける入力部と、
前記入力部から前記調光信号が入力された場合、該調光信号が入力されたタイミングから所定時間遅らせて前記調光信号に応じた光量となるように前記発光ＬＥＤの光量を制御する制御部と、
当該顕微鏡システムの電源が投入された際に、前記発光ＬＥＤの光量を指示する光量指示値を記憶する記憶部と、
を備え、
前記制御部は、
前記記憶部が記憶する光量指示値に応じた前記発光ＬＥＤの光量より前記調光信号に応じた前記発光ＬＥＤの光量が大きい場合、前記所定時間経過した後に前記調光信号に応じた光量となるように前記発光ＬＥＤの光量を指示する光量指示値を一定時間間隔で指数的に単調増加させて出力することによって前記発光ＬＥＤの光量を制御することを特徴とする顕微鏡システム。
【請求項２】
顕微鏡システムであって、
標本が載置されるステージと、
前記標本を照明するための照明光を発光する発光ＬＥＤと、
前記発光ＬＥＤが発光した照明光を集光して前記標本に照射する光学系と、
前記発光ＬＥＤの光量を調整する調光信号の入力を受け付ける入力部と、
前記入力部から前記調光信号が入力された場合、該調光信号が入力されたタイミングから所定時間遅らせて前記調光信号に応じた光量となるように前記発光ＬＥＤの光量を制御する制御部と、
当該顕微鏡システムの電源が投入された際に、前記発光ＬＥＤの光量を指示する光量指示値を記憶する記憶部と、
を備え、
前記制御部は、
前記記憶部が記憶する光量指示値に応じた前記発光ＬＥＤの光量より前記調光信号に応じた前記発光ＬＥＤの光量が大きい場合、前記所定時間経過した後に前記調光信号に応じた光量になるように前記発光ＬＥＤにおける一定の光量を指示する等間隔な光量指示値を指数的に単調減少する関数に従って出力することによって前記発光ＬＥＤの光量を制御することを特徴とする顕微鏡システム。
【請求項３】
標本が載置されるステージと、
前記標本を照明するための照明光を発光する発光ＬＥＤと、
前記発光ＬＥＤが発光した照明光を集光して前記標本に照射する光学系と、
前記発光ＬＥＤの光量を調整する調光信号の入力を受け付ける入力部と、
前記入力部から前記調光信号が入力され、かつ、前記調光信号が前記発光ＬＥＤの光量を増加させる指示の場合、前記調光信号が入力されたタイミングから、所定時間をかけて前記調光信号に応じた光量となるように前記発光ＬＥＤの光量を段階的に変化させることによって、前記所定時間遅らせて前記調光信号に応じた光量となるように前記発光ＬＥＤの光量を制御する制御部と、
を備えたことを特徴とする顕微鏡システム。
【請求項４】
前記入力部は、前記所定時間の変更を指示する指示信号の入力を受け付けることを特徴とする請求項１〜３のいずれか一つに記載の顕微鏡システム。
【請求項５】
観察者が前記標本を観察しているか否かを検出する検出部をさらに備え、
前記制御部は、前記検出部が前記観察者による前記標本の観察を検出した場合、前記発光ＬＥＤの光量を制御することを特徴とする請求項１〜４のいずれか一つに記載の顕微鏡システム。
【請求項６】
前記所定時間は、人が光に対する対光反射時間であることを特徴とする請求項１〜５のいずれか一つに記載の顕微鏡システム。
【発明の詳細な説明】
【技術分野】
【０００１】
本発明は、ステージ上に載置された標本を観察する顕微鏡システムに関する。
【背景技術】
【０００２】
従来、顕微鏡システムにおいては、ハロゲンランプを光源として標本に照明光を照射していた。しかしながら、ハロゲンランプは、調光によって色温度が変化するため、視野の色が変わってしまうという問題点があった。このため、近年では、調光によって色温度がほとんど変化しないＬＥＤ（Light  Emitting  Diode）を光源として標本に照明光を照射する技術が知られている（特許文献１参照）。この技術では、標本を観察する観察光路の状態と調光ボリュームスイッチから入力された調光信号とに基づいて、ＬＥＤの光量を自動的に調光することにより、観察時の操作性の向上を図っている。
【先行技術文献】
【特許文献】
【０００３】
【特許文献１】特開２００５−２５０１５１号公報
【発明の概要】
【発明が解決しようとする課題】
【０００４】
しかしながら、上述した特許文献１では、調光ボリュームスイッチから入力された調光信号に応じた光量へ瞬時に切り替えるため、例えば電源投入時に調光ボリュームが必要以上に設定されている場合、観察者の意に反して急激に光量が増加してしまうという問題があった。この場合、観察者が接眼レンズから目を離す回避行動や対光反射に要する時間的な余裕がないため、急激な光量増加を防止することが求められていた。
【０００５】
本発明は、上記に鑑みてなされたものであって、観察者の意に反した急激な光量の増加を防止することができる顕微鏡システムを提供することを目的とする。
【課題を解決するための手段】
【０００６】
上述した課題を解決し、目的を達成するために、本発明に係る顕微鏡システムは、標本が載置されるステージと、前記標本を照明するための照明光を発光する発光ＬＥＤと、前記発光ＬＥＤが発光した照明光を集光して前記標本に照射する光学系と、前記発光ＬＥＤの光量を調整する調光信号の入力を受け付ける入力部と、前記入力部から前記調光信号が入力された場合、該調光信号が入力されたタイミングから所定時間遅らせて前記調光信号に応じた光量となるように前記発光ＬＥＤの光量を制御する制御部と、を備えたことを特徴とする。
【０００７】
また、本発明に係る顕微鏡システムは、上記発明において、前記制御部は、当該顕微鏡システムの電源が投入された直後に、前記発光ＬＥＤの光量を制御する。
【０００８】
また、本発明に係る顕微鏡システムは、上記発明において、前記制御部は、前記入力部から出力された前記調光信号における所定の周波数より高い周波数成分を減衰させるローパスフィルタを用いて構成され、前記入力部から出力された前記調光信号を前記所定時間遅らせて出力する遅延部と、前記遅延部から出力された前記調光信号に基づいて、前記発光ＬＥＤの光量を制御する照明制御部と、を有することを特徴とする。
【０００９】
また、本発明に係る顕微鏡システムは、上記発明において、前記制御部は、前記所定時間内で前記調光信号に応じた光量となるように前記発光ＬＥＤの光量を指示する光量指示値を一定時間間隔で指数的に単調増加させて出力することによって前記発光ＬＥＤを制御することを特徴とする。
【００１０】
また、本発明に係る顕微鏡システムは、上記発明において、前記制御部は、前記所定時間内で前記調光信号に応じた光量になるように前記発光ＬＥＤにおける一定の光量を指示する等間隔な光量指示値を指数的に単調減少する関数に従って出力することによって前記発光ＬＥＤを制御することを特徴とする。
【００１１】
また、本発明に係る顕微鏡システムは、上記発明において、当該顕微鏡システムの電源が投入された際に、前記光量指示値を記憶する記憶部をさらに備え、前記制御部は、前記記憶部が記憶する前記光量指示値に応じた前記発光ＬＥＤの光量より前記調光信号に応じた前記発光ＬＥＤの光量が大きい場合、前記所定時間経過した後に前記調光信号に応じた光量になるように前記発光ＬＥＤの光量を制御することを特徴とする。
【００１２】
また、本発明に係る顕微鏡システムは、上記発明において、前記入力部は、前記所定時間の変更を指示する指示信号の入力を受け付けることを特徴とする。
【００１３】
また、本発明に係る顕微鏡システムは、上記発明において、観察者が前記標本を観察しているか否かを検出する検出部をさらに備え、前記制御部は、前記検出部が前記観察者による前記標本の観察を検出した場合、前記発光ＬＥＤの光量を制御することを特徴とする。
【００１４】
また、本発明に係る顕微鏡システムは、上記発明において、前記所定時間は、人が光に対する対光反射時間であることを特徴とする。
【発明の効果】
【００１５】
本発明によれば、観察者の意に反した急激な光量の増加を防止することができるという効果を奏する。
【図面の簡単な説明】
【００１６】
【図１】図１は、本発明の実施の形態１に係る顕微鏡システムの概略構成を示す模式図である。
【図２】図２は、本発明の実施の形態１に係る遅延部の回路構成を模式的に示す図である。
【図３】図３は、本発明の実施の形態１に係る操作装置から入力される調光信号の流れを模式的に示す図である。
【図４】図４は、人の瞳孔を模式的に示す図である。
【図５】図５は、フラッシュ光が瞳に入射した場合の対光反射時の瞳孔半径の変化を模式的に示す図である。
【図６】図６は、過大な光が連続的に光に入射した場合の瞳孔半径および瞳孔面積の関係を模式的に示す図である。
【図７】図７は、本発明の実施の形態１に係る操作装置から入力される調光信号に対して遅延部が遅延させる調光信号を模式的に示す図である。
【図８】図８は、本発明の実施の形態２に係る顕微鏡システムの概略構成を示す模式図である。
【図９】図９は、本発明の実施の形態２に係る調光テーブル記憶部が記憶する調光テーブルの一例を示す図である。
【図１０】図１０は、本発明の実施の形態２に係る照明制御部が制御する落射照明用光源または透過照明用光源の光量を模式的に示す図である。
【図１１】図１１は、本発明の実施の形態２に係る顕微鏡システムが実行する処理の概要を示すフローチャートである。
【図１２】図１２は、本発明の実施の形態３に係る調光テーブル記憶部が記憶する調光テーブルの一例を示す図である。
【図１３】図１３は、本発明の実施の形態３に係る照明制御部が制御する落射照明用光源または透過照明用光源の光量を模式的に示す図である。
【図１４】図１４は、本発明の実施の形態３の変形例に係る照明制御部が制御する落射照明用光源または透過照明用光源の光量を模式的に示す図である。
【図１５】図１５は、本発明の実施の形態４に係る顕微鏡システムの概略構成を示す模式図である。
【図１６】図１６は、本発明の実施の形態４に係る再生モード設定テーブル記憶部５３が記憶する再生モード設定テーブルの一例を示す図である。
【図１７】図１７は、本発明の実施の形態４に係る顕微鏡システムが実行する処理の概要を示すフローチャートである。
【発明を実施するための形態】
【００１７】
以下、図面を参照して、本発明を実施するための形態（以下、「実施の形態」という）について説明する。なお、以下に説明する実施の形態によって、本発明が限定されるものではない。また、以下の説明において参照する各図は、本発明の内容を理解でき得る程度に形状、大きさ、および位置関係を概略的に示してあるに過ぎない。即ち、本発明は、各図で例示された形状、大きさ、および位置関係のみに限定されるものではない。
【００１８】
（実施の形態１）
〔顕微鏡システムの構成〕
図１は、本発明の実施の形態１に係る顕微鏡システムの概略構成を示す模式図である。図１において、顕微鏡システム１が載置される平面をＸＹ平面とし、ＸＹ平面と垂直な方向をＺ方向として説明する。
【００１９】
図１に示す顕微鏡システム１は、標本ＳＰを観察する顕微鏡装置２と、顕微鏡装置２を介して標本ＳＰを撮像し、標本ＳＰの画像データを生成する撮像装置３と、顕微鏡装置２の照明の調光値を指示する調光信号の入力を受け付ける操作装置４と、顕微鏡装置２を制御する顕微鏡制御装置５と、撮像装置３が生成した画像データに対応する画像を表示する画像処理装置６と、を備える。顕微鏡装置２、撮像装置３、操作装置４および画像処理装置６は、データが送受信可能に有線または無線で接続されている。
【００２０】
〔顕微鏡装置の構成〕
まず、顕微鏡装置２の構成について説明する。
顕微鏡装置２は、略Ｃ字状の本体部１００と、標本ＳＰが載置されるステージ１０１と、ステージ１０１と対向して配置された対物レンズ１０２と、倍率が異なる複数の対物レンズ１０２を保持するレボルバ１０３と、観察光路Ｌ上に配置された対物レンズ１０２の種別（倍率）を検出するレボルバ検出部１０４と、ステージ１０１を標本ＳＰが載置される載置面と直交する直交方向（Ｚ軸方向）へ移動させてステージ１０１と対物レンズ１０２との距離を調整する焦準部１０５と、焦準部１０５を上下方向へ移動させる焦準操作部１０６と、焦準操作部１０６にタッチする物体を検出するタッチセンサ１０７と、焦準操作部１０６に接近する物体を検出する近接センサ１０８と、標本ＳＰに光を照射する落射照明光学部１０９と、観察光路Ｌ上に配置されたコードキューブの種別を検出するキューブ位置センサ１１０と、標本ＳＰに光を照射する透過照明光学部１１１と、本体部１００に取り付けられた三眼鏡筒ユニット１１２と、三眼鏡筒ユニット１１２を介して取り付けられた接眼レンズ１１３と、接眼レンズ１１３に接近する物体を検出する近接センサ１１４と、を備える。
【００２１】
ステージ１０１は、ＸＹ平面内で水平方向に移動自在であり、焦準部１０５を介して本体部１００に設けられる。
【００２２】
対物レンズ１０２は、倍率が互いに異なる複数の対物レンズ（例えば１０倍の対物レンズ１０２ａ、５０倍の対物レンズ１０２ｂ、１００倍の対物レンズ１０２ｃ）がレボルバ１０３に着脱自在に取り付けられている。
【００２３】
レボルバ１０３は、本体部１００に対して回転自在に設けられ、対物レンズ１０２を標本ＳＰの上方に配置する。レボルバ１０３は、回転することによって、観察光路Ｌ上に配置された標本ＳＰの観察に用いる対物レンズ１０２を択一的に切り替えることによって視野内の画像の倍率を変化させる。
【００２４】
レボルバ検出部１０４は、対物レンズ１０２に設けられた倍率や種別を示す識別情報を取得し、この識別情報を顕微鏡制御装置５へ出力する。
【００２５】
焦準部１０５は、標本ＳＰが載置される載置面と直交する直交方向へ移動可能であり、対物レンズ１０２とステージ１０１との距離を調整する。具体的には、対物レンズ１０２に対してステージ１０１を標本ＳＰが載置される載置面と直交する直交方向（Ｚ方向）へ相対的に移動させる。焦準部１０５は、焦準操作部１０６の操作に応じて、ステージ１０１を上下方向に移動させる。焦準部１０５は、ステージ１０１が着脱自在に接続される。
【００２６】
焦準操作部１０６は、外部からの操作に応じて焦準部１０５を直交方向へ移動させる。具体的には、焦準操作部１０６は、ステージ１０１に対して標本ＳＰが載置される載置面と直交する直交方向（Ｚ方向）へ相対的に移動させる。より詳細には、焦準操作部１０６は、所定の軸を中心に回転可能に設けられ、観察者によって回転させられることにより、ステージ１０１に対して焦準部１０５をＺ方向に相対的に移動させる。
【００２７】
タッチセンサ１０７は、焦準操作部１０６に対する物体の接触を検出し、この検出結果を顕微鏡制御装置５へ出力する。タッチセンサ１０７は、接触センサ等を用いて構成される。
【００２８】
近接センサ１０８は、焦準操作部１０６に対する物体の接近を検出し、この検出結果を顕微鏡制御装置５へ出力する。近接センサ１０８は、近赤外光を照射する近赤外センサ等を用いて構成される。
【００２９】
落射照明光学部１０９は、落射照明光を発光する落射照明用光源１０９ａと、落射照明用光源１０９ａが発光した落射照明光を集光する落射照明光学系１０９ｂと、落射照明用光源１０９ａが出射した落射照明光を集光して観察光路Ｌの方向へ導く種々の落射光学部材を有するキューブ１０９ｃと、を有する。
【００３０】
落射照明用光源１０９ａは、ＬＥＤ（Light  Emitting  Diode）ランプを用いて構成される。落射照明用光源１０９ａは、顕微鏡制御装置５の制御のもと、所定の光量で発光する。
【００３１】
落射照明光学系１０９ｂは、集光レンズやコリメートレンズを用いて構成され、落射照明用光源１０９ａが発光した落射照明光を集光してキューブ１０９ｃへ導光する。
【００３２】
キューブ１０９ｃは、本体部１００に対して回転自在に設けられ、ハーフミラー、フィルタユニット、絞りおよび開口絞り等を収容した複数のキューブ１０９ｃを観察光路Ｌ上に配置する。
【００３３】
キューブ位置センサ１１０は、観察光路Ｌ上に配置されたキューブ１０９ｃの種別を検出し、この検出結果を顕微鏡制御装置５へ出力する。
【００３４】
透過照明光学部１１１は、透過照明光を出射する透過照明用光源１１１ａと、透過照明用光源１１１ａが出射した透過照明光を集光して観察光路Ｌの方向へ導く種々の透過照明光学系１１１ｂと、を有する。
【００３５】
透過照明用光源１１１ａは、ＬＥＤランプを用いて構成される。透過照明用光源１１１ａは、顕微鏡制御装置５の制御のもと、所定の光量で発光する。なお、本実施の形態１では、落射照明用光源１０９ａおよび透過照明用光源１１１ａが発光ＬＥＤとして機能する。
【００３６】
透過照明光学系１１１ｂは、集光レンズ、コリメートレンズおよびミラー等を用いて構成され、透過照明用光源１１１ａが発光した光を集光して観察光路Ｌ上へ反射する。
【００３７】
三眼鏡筒ユニット１１２は、対物レンズ１０２から入射した標本ＳＰの観察光を撮像装置３および接眼レンズ１１３それぞれへ導光する。
【００３８】
接眼レンズ１１３は、観察者が標本ＳＰを観察するためのものである。接眼レンズ１１３は、標本ＳＰの観察像を結像する複数のレンズを用いて構成される。
【００３９】
近接センサ１１４は、接眼レンズ１１３に対する物体の接近を検出し、この検出結果を顕微鏡制御装置５へ出力する。近接センサ１１４は、近赤外光を照射する近赤外センサ等を用いて構成される。
【００４０】
〔撮像装置の構成〕
次に、撮像装置３の構成について説明する。
撮像装置３は、対物レンズ１０２および三眼鏡筒ユニット１１２を介して入射された標本ＳＰの観察像（観察光）を受光して光電変換を行うことによって電気信号（アナログ信号）に変換する複数の画素を有するＣＣＤ（Charge  Coupled  Device）またはＣＭＯＳ（Complementary  Metal  Oxide  Semiconductor）等の撮像素子３１と、撮像素子３１から出力される電気信号に増幅（ゲイン調整）等の信号処理を施した後、Ａ／Ｄ変換を行うことによってデジタルの標本ＳＰの画像データに変換して画像処理装置６へ出力する信号処理部（図示せず）と、を用いて構成される。撮像装置３は、顕微鏡制御装置５の制御のもと、標本ＳＰの画像データを微小な時間間隔で連続的に生成して画像処理装置６へ出力する。また、撮像装置３は、所定のフレームレート、例えば１５ｆｐｓで画像データを生成する。
【００４１】
〔操作装置〕
次に、操作装置４について説明する。
操作装置４は、顕微鏡装置２の落射照明用光源１０９ａおよび透過照明用光源１１１ａそれぞれの発光量を示す調光信号の入力を受け付ける。操作装置４は、所定の軸を中心に回転可能であり、調光信号の入力を受け付けるボリューム操作部４１と、落射照明用光源１０９ａおよび透過照明用光源１１１ａのどちらか一方の点灯を指示する指示信号の入力を受け付ける照明切替スイッチ４２と、を備える。なお、操作装置４は、スイッチ等を用いて構成されているが、例えばタッチパネルやジョイスティック等を用いて構成してもよい。なお、本実施の形態１では、操作装置４が入力部として機能する。
【００４２】
〔顕微鏡制御装置の構成〕
次に、顕微鏡制御装置５の構成について説明する。
顕微鏡制御装置５は、顕微鏡装置２を構成する各部の動作を統括的に制御する。また、顕微鏡制御装置５は、所定のタイミングで撮像装置３に撮像させる。さらに、顕微鏡制御装置５は、操作装置４から入力される調光信号が入力された場合、この調光信号が入力されたタイミングから所定時間遅らせて調光信号に応じた光量になるように落射照明用光源１０９ａまたは透過照明用光源１１１ａの光量を制御する。顕微鏡制御装置５は、ＣＰＵ（Central  Processing  Unit）等を用いて構成される。
【００４３】
ここで、顕微鏡制御装置５の詳細な構成について説明する。顕微鏡制御装置５は、少なくとも遅延部５１と、照明制御部５２と、を有する。
【００４４】
遅延部５１は、操作装置４から入力される調光信号に対して、所定の時間遅延させて照明制御部５２へ出力する。
【００４５】
図２は、遅延部５１の構成を示す回路図である。図２に示すように、遅延部５１は、調光信号における所定の周波数より高い周波数成分を減衰させるローパスフィルタを用いて構成される。具体的には、遅延部５１は、操作装置４から入力される調光信号を伝播する配線に並列に配置されたコンデンサＣと、調光信号を伝播する配線と直列に配置された抵抗Ｒと、を有する１次ローパスフィルタである。なお、抵抗Ｒを可変抵抗に換えてローパスフィルタを構成してもよい。遅延部５１は、操作装置４から調光信号が入力されたタイミングから所定時間遅らせるため、操作装置４から入力されたパルス調の調光信号（Ｖｉｎ）にローパス処理を施した調光信号（Ｖｏｕｔ）を照明制御部５２へ出力する（Ｖｏｕｔ）。
【００４６】
照明制御部５２は、遅延部５１から入力された調光信号に応じて、落射照明用光源１０９ａまたは透過照明用光源１１１ａを所定の光量で発光させる。
【００４７】
〔処理装置の構成〕
次に、画像処理装置６の構成について説明する。
画像処理装置６は、パーソナルコンピュータを用いて構成され、撮像装置３が生成した複数の画像データに対して所定の画像処理を施して表示したり、画像データを記憶したりする。また、画像処理装置６は、顕微鏡システム１に関する各種の操作を指示する指示信号の入力を受け付ける。
【００４８】
このように構成された顕微鏡システム１は、観察者が顕微鏡システム１の電源を起動させた後に、接眼レンズ１１３を介してステージ１０１上に載置した標本ＳＰの観察を行う。この場合において、観察者が操作装置４を操作して落射照明用光源１０９ａまたは透過照明用光源１１１ａの光量を増加させたとき、観察者の意に反射した急激な光量増加により目にストレスが掛かる場合がある。このため、図３に示すように、遅延部５１は、操作装置４から入力される調光信号を遅延させることによって、調光信号が入力されたタイミングから所定の時間遅延させることによって照明制御部５２に出力することで調光制御を行う。
【００４９】
〔遅延部による調光値の時間設定の原理〕
次に、遅延部５１が遅延させる時間について詳細に説明する。図４は、人の瞳孔を模式的に示す図である。図５は、フラッシュ光が瞳に入射した場合の対光反射時の瞳孔半径の変化を模式的に示す図である。図６は、過大な光が連続的に光に入射した場合の瞳孔半径および瞳孔面積の関係を模式的に示す図である。図５において、横軸が時間（ｓｅｃ）を示し、縦軸が瞳孔半径Ｄを示す。また、図６において、横軸が時間（ｓｅｃ）を示し、縦軸が光量の値Ｐ、瞳孔面積π×ｒ２、瞳孔半径ｒを示す。また、図５において、曲線Ｌ１が瞳孔半径を示し、直線Ｌ２が瞳孔の収縮速度を示し、直線Ｌ３が一旦収縮した瞳孔が再度、拡張する際の再拡張速度を示す。さらに、図６において、曲線Ｌ１１が瞳孔面積の変化を示し、曲線Ｌ１２が瞳孔半径の変化を示し、折れ線Ｌ１３が光量の変化を示す。
【００５０】
図４に示すように、人の瞳孔の直径２ｒは、光量に応じて最大７〜８ｍｍ、最小２〜３ｍｍまで変化（拡大時の１／４まで減少）する（図５のＤｍａｘからＤｍｉｎを参照）。以下、この現象を対光反射運動という。入射光量は、瞳孔の面積に比例するため、網膜への光量を最大１とした場合、１／１６程度まで抑えられる。
【００５１】
図５および図６に示すように、フラッシュ光が瞳に入射した場合、光刺激による人の瞳孔の収縮（対光反射運動）は、過大な光量入射後、反応遅れ（潜時）を含め約１秒程度で最小となり（直線Ｌ２を参照）、その後、瞳孔が拡張する（直線Ｌ３を参照）。瞳孔の収縮より早い光量の増加は、網膜への入射光量増加に繋がるため、人が眩しいと感じる。このため、急激な光量増加を１秒以上で行うようにすることで、対光反射が追いつくため、人が必要以上に眩しさを感じないうえ、観察者が操作装置４のボリューム操作部４１を操作することによって、調光信号（調光ボリューム）を戻す等の操作を行う時間を確保することができるため、光量増大の回避を行うこともできる。
【００５２】
このため、図２および図３に示すように、遅延部５１は、操作装置４から入力される調光信号を遅延させることによって、調光信号が入力されたタイミングから所定の時間遅延させることによって照明制御部５２に出力することで調光制御を行う。
【００５３】
図７は、操作装置４からの調光信号に対して遅延部５１が遅延させる調光信号を模式的に示す図である。図７において、横軸が時間を示し、縦軸が電圧値を示す。図７の（ａ）の曲線Ｌ２１が操作装置４から入力された調光信号の電圧値を示し、図７の（ｂ）の曲線Ｌ２２が遅延部５１によって所定時間だけ遅延させられた調光信号の電圧値を示す。
【００５４】
図７に示すように、遅延部５１は、操作装置４から入力される急峻な調光信号の曲線Ｌ２１（電圧値）に対して、傾斜が滑らかになるように調光信号の曲線Ｌ２２（電圧値）を緩慢に上昇させることによって、調光信号に対応する電圧値になるタイミングが時間ｔ（例えば約１秒）遅延するように、調光信号を照明制御部５２に出力する。これにより、対光反射における時間的余裕を持たせることができる。なお、遅延させる時間は、０.５秒〜３秒であり、好ましくは１〜２秒、より好ましく１秒である。
【００５５】
以上説明した本発明の実施の形態１によれば、操作装置４のボリューム操作部４１から入力される調光信号に対して、所定時間遅らせる遅延部５１を設け、調光信号の電圧値に遅れ時間を持たせることによって、調光信号の電圧値を緩慢に上昇させることによって、入力タイミングが時間ｔ（例えば約１秒）遅延するように、調光信号を照明制御部５２に出力するので、観察者の意に反した急激な光量の増加を防止することができる。
【００５６】
また、本発明の実施の形態１によれば、顕微鏡システム１の電源が投入された直後に、操作装置４のボリューム操作部４１から調光信号が入力された場合、所定時間経過した後に調光信号に応じた光量になるように落射照明用光源１０９ａまたは透過照明用光源１１１ａの光量を制御するので、顕微鏡システム１を起動した直後に観察者が接眼レンズ１１３を覗きながら標本ＳＰの観察を行うとき、観察者の意に反した急激な光量の増加を防止することができる。
【００５７】
なお、本発明の実施の形態１では、遅延部５１において値が固定された抵抗Ｒを用いて構成されていたが、例えば外部からの入力に応じて値を変更可能な可変抵抗を用いて構成してもよい。これにより、調光信号に対して遅延させる時間を変更することができたり、調光信号に対して瞬時に反応させたりすることができる。
【００５８】
（実施の形態２）
次に、本発明の実施の形態２について説明する。本実施の形態２に係る顕微鏡システムは、上述した実施の形態１と構成が異なる。具体的には、上述した実施の形態１では、操作装置４から入力される調光信号を遅延させる遅延部５１を設けていたが、本実施の形態２に係る顕微鏡システムは、所定時間内（例えば約１秒）で調光信号に応じた光量になるように制御を行う。このため、以下においては、本実施の形態２に係る顕微鏡システムの構成を説明後、本実施の形態２に係る顕微鏡システムが実行する処理について説明する。なお、上述した実施の形態１に係る顕微鏡システム１と同一の構成には同一の符号を付して説明を省略する。
【００５９】
〔顕微鏡システムの構成〕
図８は、本発明の実施の形態２に係る顕微鏡システムの概略構成を示す模式図である。図８に示す顕微鏡システム１ａは、上述した実施の形態１に係る顕微鏡システム１の顕微鏡制御装置５に換えて、顕微鏡制御装置５ａを備える。
【００６０】
顕微鏡制御装置５ａは、顕微鏡装置２を構成する各部の動作を統括的に制御する。また、顕微鏡制御装置５ａは、所定のタイミングで撮像装置３に撮像させる。顕微鏡制御装置５ａは、ＣＰＵ等を用いて構成される。
【００６１】
ここで、顕微鏡制御装置５ａの詳細な構成について説明する。顕微鏡制御装置５ａは、記憶部５３と、照明制御部５４と、を有する。
【００６２】
記憶部５３は、顕微鏡システム１ａの各種の情報を記憶する。記憶部５３は、例えばＦｌａｓｈメモリやＳＤＲＡＭ（Synchronous  Dynamic  Random  Access  Memory）等を用いて構成される。また、記憶部５３は、調光テーブル記憶部５３１を有する。
【００６３】
調光テーブル記憶部５３１は、操作装置４から入力される調光信号に応じて遅延させる時間を示す調光テーブルを記憶する。図９は、調光テーブル記憶部５３１が記憶する調光テーブルの一例を示す図である。
【００６４】
図９に示すように、調光テーブルＴ１には、操作装置４から入力される調光信号Ｎに対して、落射照明用光源１０９ａまたは透過照明用光源１１１ａの光量を指示する光量指示値Ｐが記憶されている。具体的には、調光テーブルＴ１には、操作装置４から入力される調光信号Ｎに所定の定数ａ（ａ：整数）を乗じた値が光量指示値Ｐとなるように記憶されている（Ｐ＝Ｎ×ａ）。例えば、調光テーブルＴ１には、操作装置４から入力される調光信号Ｎが「３」の場合において、所定の定数ａが「１０」のとき、落射照明用光源１０９ａまたは透過照明用光源１１１ａの光量を指示する光量指示値Ｐが「３０」と記憶されている（Ｐ＝３×１０）。なお、所定の定数ａは、適宜変更することができる。
【００６５】
照明制御部５４は、調光テーブル記憶部５３１が記憶する調光テーブルＴ１を参照して、操作装置４から入力される調光信号に応じた光量指示値を落射照明用光源１０９ａまたは透過照明用光源１１１ａに出力する。また、照明制御部５４は、顕微鏡システム１が起動した直後に、操作装置４から調光信号が入力された場合、調光テーブル記憶部５３１が記憶する調光テーブルＴ１を参照して、操作装置４から入力される調光信号に応じた光量指示値を落射照明用光源１０９ａまたは透過照明用光源１１１ａに出力する。具体的には、照明制御部５４は、操作装置４から調光信号が入力された場合、調光テーブル記憶部５３１が記憶する調光テーブルＴ１を参照して、落射照明用光源１０９ａまたは透過照明用光源１１１ａの光量を段階的に変化させる。例えば、照明制御部５４は、操作装置４から調光信号が入力された場合、調光テーブル記憶部５３１が記憶する調光テーブルＴ１を参照して、所定時間内（１秒）で調光信号に応じた光量となるように落射照明用光源１０９ａまたは透過照明用光源１１１ａの光量を指示する光量指示値を一定間隔毎に出力することによって落射照明用光源１０９ａまたは透過照明用光源１１１ａの光量を制御する。
【００６６】
また、照明制御部５４は、操作装置４から入力される調光信号（図９では、０〜２５５）に対応する調光指示値に相当する電流値で落射照明用光源１０９ａまたは透過照明用光源１１１ａを制御する。この場合、照明制御部５４は、０から１ステップ毎に調光信号に応じた光量まで段落的に増加させる。１ステップ毎の変化時間は、予め設定された所定時間となる。変化時間の目安としては、例えば調光信号Ｎが「２５５」が入力された場合、０〜２５５（２５６ステップ）の総変化時間が１秒以上確保できる時間、即ち４ｍｓｅｃ／Ｓｔｅｐ以上（１０００÷２５６）であることが望ましい。
【００６７】
図１０は、照明制御部５４が制御する落射照明用光源１０９ａまたは透過照明用光源１１１ａの光量を模式的に示す図である。図１０において、横軸が時間を示し、縦軸が光量指示値を示す。また、図１０において、曲線Ｌ５１が顕微鏡システム１ａの起動直後に照明制御部５４が操作装置４から入力された調光信号に対する光量指示値を示す。
【００６８】
図１０の曲線Ｌ５１に示すように、照明制御部５４は、顕微鏡システム１ａが起動した直後に、操作装置４から調光信号が入力された場合、調光テーブル記憶部５３１が記憶する調光テーブルＴ１を参照して、所定時間内（約１秒）で操作装置４から入力される調光信号に応じた光量指示値Ｐ１になるように落射照明用光源１０９ａまたは透過照明用光源１１１ａの光量を指示する光量指示値を一定間隔毎（Ｗ１毎）に出力することによって落射照明用光源１０９ａまたは透過照明用光源１１１ａの光量を制御する。これにより、観察者の意に反した急激な光量の増加を防止することができる。
【００６９】
〔顕微鏡システムの処理〕
次に、顕微鏡システム１ａが実行する処理について説明する。図１１は、顕微鏡システム１ａが実行する処理の概要を示すフローチャートである。
【００７０】
図１１に示すように、まず、照明制御部５４は、調光テーブル記憶部５３１が記憶する調光テーブルＴ１を参照して、所定時間内（１秒内）で操作装置４のボリューム操作部４１から入力された調光信号に応じた光量になるように、操作装置４から入力される調光入力値まで光量指示値を一定間隔で落射照明用光源１０９ａまたは透過照明用光源１１１ａに変化させながら出力することによって段階的に調光する（ステップＳ１０１）。これにより、対光反射における時間的余裕を持たせることができるので、顕微鏡システム１ａの電源投入直後における観察者の意に反した急激な光量の増加を防止することができる。
【００７１】
続いて、操作装置４のボリューム操作部４１に対してボリューム操作があった場合（ステップＳ１０２：Ｙｅｓ）、照明制御部５４は、操作装置４から入力される調光入力値に対応する光量指示値を落射照明用光源１０９ａまたは透過照明用光源１１１ａに出力することによって瞬時に調光する（ステップＳ１０３）。これにより、瞬時に落射照明用光源１０９ａまたは透過照明用光源１１１ａの光量を所望の値に変更することができる。この場合、観察者は、既に光量の調整を行いながら標本ＳＰの観察を行っているので、操作装置４のボリューム操作部４１の即応性が求められる。ステップＳ１０３の後、顕微鏡システム１ａは、後述するステップＳ１０４へ移行する。
【００７２】
ステップＳ１０２において、操作装置４のボリューム操作部４１に対してボリューム操作がない場合（ステップＳ１０２：Ｎｏ）、顕微鏡システム１ａは、後述するステップＳ１０４へ移行する。
【００７３】
ステップＳ１０４において、標本ＳＰの観察を終了する場合（ステップＳ１０４：Ｙｅｓ）、顕微鏡システム１ａは、本処理を終了する。これに対して、標本ＳＰの観察を終了しない場合（ステップＳ１０４：Ｎｏ）、顕微鏡システム１ａは、ステップＳ１０１へ戻る。
【００７４】
以上説明した本発明の実施の形態２によれば、照明制御部５４が所定時間内で操作装置４から入力された調光信号に応じた光量になるように落射照明用光源１０９ａまたは透過照明用光源１１１ａの光量を指示する光量指示値を一定間隔毎で出力することによって落射照明用光源１０９ａまたは透過照明用光源１１１ａを制御するので、顕微鏡システム１ａの電源投入直後における観察者の意に反した急激な光量の増加を防止することができる。さらにその後は、操作装置４のボリューム操作部４１に対してボリューム操作が行われた場合、照明制御部５４がボリューム操作に応じて瞬時に光量を変化させるため、観察者に対する応答性を損なうことがないので、操作性を向上させることができる。
【００７５】
（実施の形態３）
次に、本発明の実施の形態３について説明する。本実施の形態３に係る顕微鏡システムは、上述した実施の形態２に係る調光テーブル記憶部５３１が記憶する調光テーブルが異なるうえ、照明制御部が行う制御が異なる。このため、以下においては、本実施の形態３に係る調光テーブル記憶部が記憶する調光テーブルを説明後、本実施の形態３に係る照明制御部が行う制御について説明する。なお、上述した実施の形態２に係る顕微鏡システム１ａと同一の構成には同一の符号を付して説明を省略する。
【００７６】
図１２は、本発明の実施の形態３に係る調光テーブル記憶部５３１が記憶する調光テーブルの一例を示す図である。図１２に示すように、調光テーブルＴ２には、操作装置４から入力される調光信号Ｎに対して、落射照明用光源１０９ａまたは透過照明用光源１１１ａの光量を指示する光量指示値Ｐが記憶されている。具体的には、調光テーブルＴ２には、操作装置４から入力される調光信号Ｎに対して所定の定数ａをべき乗した値が光量指示値Ｐとなるように記憶されている（Ｐ＝Ｎａ）。例えば、調光テーブルＴ２には、操作装置４から入力される調光信号Ｎが「３」の場合、落射照明用光源１０９ａまたは透過照明用光源１１１ａの光量を指示する光量指示値Ｐが「９」と記憶されている（Ｐ＝３2）。照明制御部５４は、操作装置４から入力される調光信号（図１２では、０〜２５５）に対応する調光指示値に相当する電流値で落射照明用光源１０９ａまたは透過照明用光源１１１ａを制御する。この場合、照明制御部５４は、指数的に単調増加する光量指示値を一定間隔で出力することによって、所定時間（約１秒）で調光信号に応じた光量になるように落射照明用光源１０９ａまたは透過照明用光源１１１ａを制御する。
【００７７】
図１３は、照明制御部５４が制御する落射照明用光源１０９ａまたは透過照明用光源１１１ａの光量を模式的に示す図である。図１３において、横軸が時間を示し、縦軸が光量指示値を示す。また、図１３において、曲線Ｌ６１が顕微鏡システム１ａの起動直後に照明制御部５４が操作装置４から入力された調光信号に対する光量指示値を示す。
【００７８】
図１３の曲線Ｌ６１に示すように、照明制御部５４は、顕微鏡システム１ａが起動した直後に、操作装置４から調光信号が入力された場合、調光テーブル記憶部５３１が記憶する調光テーブルＴ２を参照して、指数的に単調増加する光量指示値を一定間隔で出力することによって、所定時間（約１秒）で調光信号に応じた光量指示値Ｐ２になるように落射照明用光源１０９ａまたは透過照明用光源１１１ａを制御する。これにより、ハロゲンランプの特性に近づけた調光制御を行うことができる。
【００７９】
以上説明した本発明の実施の形態３によれば、照明制御部５４が操作装置４から入力された調光信号に応じた光量になるように指数的に単調増加させた光量指示値を一定間隔で落射照明用光源１０９ａまたは透過照明用光源１１１ａへ出力することによって、落射照明用光源１０９ａまたは透過照明用光源１１１ａの光量を制御するので、顕微鏡システム１ａの電源投入直後における観察者の意に反した急激な光量の増加を防止することができ、上述した実施の形態２と比して回避動作における時間的な余裕や対光反射における時間的な余裕をさらに長くすることができる。
【００８０】
（実施の形態３の変形例）
次に、本発明の実施の形態３の変形例について説明する。本実施の形態３の変形例は、上述した実施の形態３と同一の構成を有し、照明制御部が実行する処理が異なる。このため、以下においては、本実施の形態３の変形例の照明制御部が実行する処理について説明する。なお、上述した実施の形態３に係る顕微鏡システム１ａと同一の構成には同一の符号を付して説明を省略する。
【００８１】
図１４は、照明制御部５４が制御する落射照明用光源１０９ａまたは透過照明用光源１１１ａの光量を模式的に示す図である。図１４において、横軸が時間を示し、縦軸が光量指示値を示す。また、図１４において、曲線Ｌ７１が顕微鏡システム１ａの起動直後に照明制御部５４が操作装置４から入力された調光信号に対する光量指示値を示す。
【００８２】
図１４の曲線Ｌ７１に示すように、照明制御部５４は、顕微鏡システム１ａが起動した直後に、操作装置４から調光信号が入力された場合、調光テーブル記憶部５３１が記憶する調光テーブルＴ１（図９を参照）を参照して、等間隔の光量指示値（Ｐ１）を単調減少する時間間隔（ｔ1＞ｔ2＞ｔ3・・・・＞ｔｎ）で出力することによって、所定時間内で調光信号に応じた光量指示値Ｐ３になるように落射照明用光源１０９ａまたは透過照明用光源１１１ａを制御する。
【００８３】
以上説明した本発明の実施の形態３の変形例によれば、照明制御部５４が操作装置４から入力された調光信号に応じた光量になるように落射照明用光源１０９ａまたは透過照明用光源１１１ａにおける一定の光量を指示する等間隔な光量指示値を単調減少する時間間隔で出力することによって、落射照明用光源１０９ａまたは透過照明用光源１１１ａを制御するので、観察者の意に反した急激な光量の増加を防止することができ、上述した実施の形態２と比して回避動作における時間的な余裕や対光反射における時間的な余裕をさらに稼ぐことができる。
【００８４】
（実施の形態４）
次に、本発明の実施の形態４について説明する。本実施の形態４に係る顕微鏡システムは、上述した実施の形態３に係る顕微鏡システム１ａと構成が異なる。このため、以下においては、本実施の形態４に係る顕微鏡システムの構成を説明後、本実施の形態４に係る顕微鏡システムが実行する処理について説明する。なお、上述した実施の形態３に係る顕微鏡システム１ａと同一の構成には同一の符号を付して説明を省略する。
【００８５】
〔顕微鏡システムの構成〕
図１５は、本発明の実施の形態４に係る顕微鏡システムの概略構成を示す模式図である。図１５に示す顕微鏡システム１ｂは、上述した実施の形態３に係る顕微鏡システム１ａの操作装置４および顕微鏡制御装置５ａに換えて、操作装置４ｂおよび顕微鏡制御装置５ｂを備える。
【００８６】
まず、操作装置４ｂの構成について説明する。操作装置４ｂは、上述した実施の形態３の操作装置４の構成に加えて、落射照明用光源１０９ａおよび透過照明用光源１１１ａの調光値を記憶する指示信号の入力を受け付ける光量設定スイッチ４３と、記憶モードまたは再生モードを切り替える指示信号の入力を受け付けるモード切替スイッチ４４と、を備える。ここで、記憶モードとは、顕微鏡システム１ｂが記憶モードの場合において、光量設定スイッチ４３から調光値を記憶する指示信号が入力されたとき、現在の対物レンズ１０２の倍率と、キューブ１０９ｃの種別と、落射照明用光源１０９ａまたは透過照明用光源１１１ａの調光値と、を対応付けた後述する記憶部５３ｂの再生モード設定テーブル記憶部５３２に記憶するモードである。また、再生モードとは、後述する再生モード設定テーブル記憶部５３２が記憶する再生モード設定テーブルに基づいて、現在の対物レンズ１０２の倍率とキューブ１０９ｃの種別とに対応付けられた調光値に落射照明用光源１０９ａまたは透過照明用光源１１１ａを調光するモードである。
【００８７】
次に、顕微鏡制御装置５ｂの構成について説明する。顕微鏡制御装置５ｂは、上述した実施の形態３に係る顕微鏡制御装置５ａの記憶部５３ａに換えて、記憶部５３ｂを備える。記憶部５３ｂは、上述した実施の形態３に係る記憶部５３ａの構成に加えて、再生モード設定テーブル記憶部５３２を有する。再生モード設定テーブル記憶部５３２は、対物レンズ１０２の倍率と、キューブ１０９ｃの種別と、落射照明用光源１０９ａまたは透過照明用光源１１１ａの調光値と、を対応付けて記憶する。
【００８８】
図１６は、再生モード設定テーブル記憶部５３２が記憶する再生モード設定テーブルの一例を示す図である。図１６に示すように、再生モード設定テーブルＴ３には、対物レンズの倍率に「５０」、キューブ種別に「２」および調光値Ｎに「１００」が対応付けて記憶されている。
【００８９】
このように構成された顕微鏡システム１ｂは、モード切替スイッチ４４から再生モードを指示する指示信号が入力された場合において、現在の対物レンズの倍率とキューブＮｏとに対応する調光値Ｎが再生モード設定テーブル記憶部５３２によって記憶された再生モード設定テーブルＴ３に記憶されているとき、照明制御部５４は、再生モード設定テーブルＴ３に設定された調光値Ｎに対応する光量となるように落射照明用光源１０９ａまたは透過照明用光源１１１ａを制御する。また、モード切替スイッチ４４から記憶モードを指示する指示信号が入力された場合において、光量設定スイッチ４３から落射照明用光源１０９ａおよび透過照明用光源１１１ａの調光値を記憶する指示信号が入力されたとき、顕微鏡制御装置５ｂは、再生モード設定テーブル記憶部５３２に、現在の対物レンズの倍率と、キューブのＮｏと、落射照明用光源１０９ａまたは透過照明用光源１１１ａの調光値と、を対応付けて再生モード設定テーブル記憶部５３２に記憶する。
【００９０】
〔顕微鏡システムの処理〕
図１７は、顕微鏡システム１ｂが実行する処理の概要を示すフローチャートである。図１７に示すように、まず、顕微鏡制御装置５ｂは、操作装置４ｂのボリューム操作部４１における調光値と現在出力している調光値との一致関係を示すフラグを初期化（Ｆｌａｇ＝０）する（ステップＳ２０１）。
【００９１】
続いて、顕微鏡システム１ｂのモードが記憶モードの場合（ステップＳ２０２：記憶モード）、照明制御部５４は、調光テーブル記憶部５３１が記憶する調光テーブルＴ１を参照して、操作装置４ｂのボリューム操作部４１から入力された調光値まで調光入力値を一定間隔毎に指数的に単調増加させて落射照明用光源１０９ａまたは透過照明用光源１１１ａに出力する（ステップＳ２０３）。ステップＳ２０３の後、顕微鏡システム１ａは、後述するステップＳ２０８へ移行する。
【００９２】
ステップＳ２０２において、顕微鏡システム１ｂのモードが再生モードの場合（ステップＳ２０２：再生モード）、顕微鏡制御装置５ｂは、レボルバ１０３およびキューブ１０９ｃそれぞれの位置の読み込みを行う（ステップＳ２０４）。
【００９３】
続いて、再生モード設定テーブル記憶部５３２に調光値の記憶値がある場合（ステップＳ２０５：Ｙｅｓ）、照明制御部５４は、再生モード設定テーブル記憶部５３２を参照して、レボルバ１０３の対物レンズ１０２の倍率およびキューブ１０９ｃの種別に応じた調光値の記憶値まで調光入力値を一定間隔で変化させながら落射照明用光源１０９ａまたは透過照明用光源１１１ａに出力する（ステップＳ２０６）。
【００９４】
その後、照明制御部５４は、操作装置４ｂのボリューム操作部４１における調光値と現在出力している調光値との一致関係を示すフラグを「１」（Ｆｌａｇ＝１）に切り替え（ステップＳ２０７）、顕微鏡システム１ｂは、後述するステップＳ２０８へ移行する。
【００９５】
ステップＳ２０５において、記憶部５３ｂに調光値の記憶値がない場合（ステップＳ２０５：Ｎｏ）、顕微鏡システム１ｂは、ステップＳ２０３へ移行する。
【００９６】
ステップＳ２０８において、操作装置４ｂのボリューム操作部４１に対してボリューム操作があった場合（ステップＳ２０８：Ｙｅｓ）、顕微鏡システム１ｂは、後述するステップＳ２０９へ移行する。これに対して、操作装置４ｂのボリューム操作部４１に対してボリューム操作がなかった場合（ステップＳ２０８：Ｎｏ）、顕微鏡システム１ｂは、後述するステップＳ２１４へ移行する。
【００９７】
ステップＳ２０９において、操作装置４ｂのボリューム操作部４１における調光値と現在出力している調光値との一致関係を示すフラグが「１」（Ｆｌａｇ＝１）の場合（ステップＳ２０９：Ｙｅｓ）、顕微鏡システム１ｂは、後述するステップＳ２１１へ移行する。これに対して、フラグが「１」（Ｆｌａｇ＝０）でない場合（ステップＳ２０９：Ｎｏ）、顕微鏡システム１ｂは、後述するステップＳ２１０へ移行する。
【００９８】
ステップＳ２１０において、照明制御部５４は、操作装置４ｂのボリューム操作部４１から入力された調光入力値に応じた調光指示値になるように落射照明用光源１０９ａまたは透過照明用光源１１１ａを瞬時に調光する（ステップＳ２１０）。ステップＳ２１０の後、顕微鏡システム１ｂは、後述するステップＳ２１４へ移行する。
【００９９】
ステップＳ２１１において、調光入力値が減少している場合（ステップＳ２１１：Ｙｅｓ）、顕微鏡システム１ｂは、ステップＳ２１０へ移行する。これに対して、調光入力値が減少していない場合（ステップＳ２１１：Ｎｏ）、顕微鏡システム１ｂは、後述するステップＳ２１２へ移行する。
【０１００】
ステップＳ２１２において、照明制御部５４は、調光値まで調光入力値を一定間隔で変化させながら落射照明用光源１０９ａまたは透過照明用光源１１１ａに出力する。
【０１０１】
続いて、照明制御部５４は、記憶部５３ｂに記憶された操作装置４ｂのボリューム操作部４１における調光値と現在出力している調光値との一致関係を示すフラグを初期化（Ｆｌａｇ＝０）する（ステップＳ２１３）。ステップＳ２１３の後、顕微鏡システム１ｂは、後述するステップＳ２１４へ移行する。
【０１０２】
ステップＳ２１４において、顕微鏡制御装置５ｂは、レボルバ１０３およびキューブ１０９ｃそれぞれの位置の読み込みを行う。
【０１０３】
続いて、レボルバ１０３およびキューブ１０９ｃそれぞれの位置が変化している場合（ステップＳ２１５：Ｙｅｓ）において、顕微鏡システム１ｂのモードが記憶モードのとき（ステップＳ２１６：記憶モード）、顕微鏡システム１ｂは、後述するステップＳ２１９へ移行する。これに対して、レボルバ１０３およびキューブ１０９ｃそれぞれの位置が変化している場合（ステップＳ２１５：Ｙｅｓ）において、顕微鏡システム１ｂのモードが再生モードのとき（ステップＳ２１６：再生モード）、顕微鏡システム１ｂは、後述するステップＳ２１７へ移行する。
【０１０４】
ステップＳ２１５において、レボルバ１０３およびキューブ１０９ｃそれぞれの位置が変化していない場合（ステップＳ２１５：Ｎｏ）、顕微鏡システム１ｂは、後述するステップＳ２２０へ移行する。
【０１０５】
ステップＳ２１７において、記憶部５３ｂに調光値の記憶値がある場合（ステップＳ２１７：Ｙｅｓ）、照明制御部５４は、落射照明用光源１０９ａまたは透過照明用光源１１１ａに対して、調光値の記憶値まで瞬時に調光する（ステップＳ２１８）。
【０１０６】
続いて、照明制御部５４は、操作装置４ｂのボリューム操作部４１における調光値と現在出力している調光値との一致関係を示すフラグを「１」（Ｆｌａｇ＝１）に切り替える（ステップＳ２１９）。ステップＳ２１９の後、顕微鏡システム１ｂは、後述するステップＳ２２０へ移行する。
【０１０７】
ステップＳ２１７において、記憶部５３ｂに調光値の記憶値がない場合（ステップＳ２１７：Ｎｏ）、顕微鏡システム１ｂは、ステップＳ２２０へ移行する。
【０１０８】
ステップＳ２２０において、操作装置４ｂの光量設定スイッチ４３が押された場合（ステップＳ２２０：Ｙｅｓ）、顕微鏡システム１ｂは、後述するステップＳ２２１へ移行する。これに対して、操作装置４ｂの光量設定スイッチ４３が押されていない場合（ステップＳ２２０：Ｎｏ）、顕微鏡システム１ｂは、後述するステップＳ２２３へ移行する。
【０１０９】
ステップＳ２２１において、顕微鏡システム１ｂのモードが再生モードの場合（ステップＳ２２１：再生モード）、顕微鏡システム１ｂは、後述するステップＳ２２３へ移行する。これに対して、顕微鏡システム１ｂのモードが記憶モードの場合（ステップＳ２２１：記憶モード）、照明制御部５４は、再生モード設定テーブル記憶部５３２に現在の対物レンズ１０２の倍率と、キューブ１０９ｃの種別と、調光値と、を対応付けて記憶する（ステップＳ２２２）。ステップＳ２２２の後、顕微鏡システム１ｂは、ステップＳ２２３へ移行する。
【０１１０】
ステップＳ２２３において、顕微鏡システム１ｂが標本ＳＰの観察を終了する場合（ステップＳ２２３：Ｙｅｓ）、顕微鏡システム１ｂは、本処理を終了する。これに対して、顕微鏡システム１ｂが標本ＳＰの観察を終了しない場合（ステップＳ２２３：Ｎｏ）、顕微鏡システム１ｂは、ステップＳ２０８へ戻る。
【０１１１】
以上説明した本発明の実施の形態４によれば、顕微鏡システム１ｂの電源投入直後に、照明制御部５４が操作装置４ｂから入力された調光信号もしくは記憶部５３ａに記憶された調光値に応じた光量になるように落射照明用光源１０９ａまたは透過照明用光源１１１ａの光量を一定間隔で増加させながら落射照明用光源１０９ａまたは透過照明用光源１１１ａを制御するので、顕微鏡システム１ｂの電源投入時に必要以上にボリュームを大きくしていた場合または再生モードで必要以上の大光量に設定していた場合等の原因による観察者の意に反した急激な光量の増加を防止することができる。
【０１１２】
また、本発明の実施の形態４によれば、顕微鏡システム１ｂの電源投入直後の調光を行った以降に、顕微鏡システム１ｂが再生モードによって記憶された調光値を出力している場合、操作装置４ｂに対して初めてボリューム操作が行われたとき、照明制御部５４が調光値に応じた光量になるように落射照明用光源１０９ａまたは透過照明用光源１１１ａの光量を一定間隔で変化させることにより、観察者の意に反した急激な光量の増加を防止することができる。
【０１１３】
さらに、本発明の実施の形態４によれば、顕微鏡システム１ｂの電源投入直後の調光を行った以降に、顕微鏡システム１ｂのモードが再生モードの場合において、操作装置４ｂに対してボリューム操作がなく、レボルバ１０３およびキューブ１０９ｃが変化し、この変化したレボルバ１０３およびキューブ１０９ｃに応じた記憶値が記憶部５３ｂに記憶されているとき、照明制御部５４が記憶部５３ｂによって記憶された記憶値に対応する光量になるように、瞬時に光量を切り替える為、観察者に対する応答性を損なう事がないので、操作性を維持することができる。
【０１１４】
また、本発明の実施の形態４によれば、顕微鏡システム１ａのモードが再生モードの場合において、操作装置４から入力さされた調光信号に対応する調光値が減少するとき、観察者が観察する標本が明るい状態から暗い状態になったとしても、観察者がまぶしさを感じないため、操作装置４から入力さされた調光信号に対応する光量に落射照明用光源１０９ａまたは透過照明用光源１１１ａの光量を瞬時に切り替えるので、応答性を損なうことなく光量を切り替えることができる。
【０１１５】
（その他の実施の形態）
また、本発明の実施の形態１〜４では、タッチセンサが外部からの接触を検出している場合および近接センサが物体の近接を検出している場合、即ち、観察者が標本を観察していると検出した場合において、操作装置から調光信号が入力されたとき、所定時間経過した後に調光信号に応じた光量になるように落射照明用光源または透過照明用光源の光量を制御するようにしてもよい。もちろん、タッチセンサが外部からの接触を検出していない場合および近接センサが物体の近接を検出していない場合、例えば撮像装置による撮影による標本の観察を行っている場合、照明制御部は、操作装置から入力された調光信号に応じた光量に瞬時になるように落射照明用光源または落射照明用光源の光量を制御するようにしてもよい。
【０１１６】
また、本発明の実施の形態１〜４では、照明制御部が操作装置から調光信号が入力された場合、所定時間経過した後に、調光信号に応じた光量になるように落射照明用光源または透過照明用光源の光量を制御していたが、例えば図示しない画像処理装置のキーボード等の入力インターフェースを介して上述した所定時間を適宜変更してもよい。具体的には、対光反射時間を超える時間（１秒以上）が好ましい。
【０１１７】
また、本発明の実施の形態１〜４では、光量指示値が連続点灯での駆動電流値に相当する値で説明していたが、落射照明用光源または落射照明用光源をＰＷＭ点灯とし、このＰＷＭ点灯におけるデューティー比を調光指示値としてもよい。
【０１１８】
本発明では、顕微鏡装置、撮像装置および顕微鏡制御装置を備えた顕微鏡システムを例に説明したが、たとえば標本を拡大する対物レンズ、対物レンズを介して標本を撮像する撮像機能、および画像を表示する表示機能を備えた撮像装置、たとえばビデオマイクロスコープ等であっても、本発明を適用することができる。
【０１１９】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１２０】
このように、本発明は、ここでは記載していない様々な実施の形態を含みうるものであり、特許請求の範囲によって特定される技術的思想の範囲内で種々の設計変更等を行うことが可能である。
【符号の説明】
【０１２１】
１，１ａ，１ｂ  顕微鏡システム
２  顕微鏡装置
３  撮像装置
４，４ｂ  操作装置
５，５ａ，５ｂ  顕微鏡制御装置
６  画像処理装置
３１  撮像素子
４１  ボリューム操作部
４２  照明切替スイッチ
４３  光量設定スイッチ
４４  モード切替スイッチ
５１  遅延部
５２，５４  照明制御部
５３，５３ｂ  記憶部
１００  本体部
１０１  ステージ
１０２，１０２ａ〜１０２ｃ  対物レンズ
１０３  レボルバ
１０４  レボルバ検出部
１０５  焦準部
１０６  焦準操作部
１０７  タッチセンサ
１０８，１１４  近接センサ
１０９  落射照明光学部
１０９ａ  落射照明用光源
１０９ｂ  落射照明光学系
１０９ｃ  キューブ
１１０  キューブ位置センサ
１１１  透過照明光学部
１１１ａ  透過照明用光源
１１１ｂ  透過照明光学系
１１２  三眼鏡筒ユニット
１１３  接眼レンズ
５３１  調光テーブル記憶部
５３２  再生モード設定テーブル記憶部
ＳＰ  標本
Ｔ１，Ｔ２  調光テーブル
Ｔ３  再生モード設定テーブル
【図１】
0006542044.tif 000002
【図２】
0006542044.tif 000003
【図３】
0006542044.tif 000004
【図４】
0006542044.tif 000005
【図５】
0006542044.tif 000006
【図６】
0006542044.tif 000007
【図７】
0006542044.tif 000008
【図８】
0006542044.tif 000009
【図９】
0006542044.tif 000010
【図１０】
0006542044.tif 000011
【図１１】
0006542044.tif 000012
【図１２】
0006542044.tif 000013
【図１３】
0006542044.tif 000014
【図１４】
0006542044.tif 000015
【図１５】
0006542044.tif 000016
【図１６】
0006542044.tif 000017
【図１７】
0006542044.tif 000018